(57)【特許請求の範囲】
【請求項１】
調理容器を加熱するガスバーナと、前記調理容器が載置される五徳と、前記調理容器の温度を検出する温度検出装置と、前記ガスバーナの火力を制御する制御手段とを備えるガスコンロにおいて、
前記温度検出装置が、前記ガスコンロの任意の固定部に固定されて上下方向に伸びる固定側支持部材と、前記固定側支持部材に支持され、前記固定側支持部材に対して上下動可能に構成された移動側支持筒と、前記移動側支持筒の上端に配設され、前記調理容器の上下動に追随して上下動することにより、前記調理容器の底面に常時当接するように構成された当接体と、前記当接体の下面側に、前記当接体と熱的に結合するような態様で配設されたサーミスタとを具備するとともに、
前記調理容器の前記五徳上への載置による前記移動側支持筒の下降を検出して、前記五徳上に前記調理容器が存在していることを検出する調理容器存在検出部を備え、
（ａ）前記制御手段が、前記移動側支持筒を下降させて前記当接体の上面を前記五徳の上端より下方に位置させる温度検出装置下降制御、および、前記調理容器が前記五徳上に載置されたときに、前記移動側支持筒の下降が許容される態様で前記移動側支持筒を上昇させて前記当接体の上面を前記五徳の上端より上方に位置させる温度検出装置上昇制御を実行するように構成され、
（ｂ）前記温度検出装置上昇制御の実行後に、前記温度検出装置下降制御を実行した場合に前記調理容器存在検出部が前記移動側支持筒の下降を検出しないときには、前記制御手段が、故障が発生している蓋然性が高いと判断して、前記ガスバーナの燃焼を実行しないように構成されていること
を特徴とするガスコンロ。
【請求項２】
前記固定側支持部材に支持された前記移動側支持筒を前記固定側支持部材に対して上方向に付勢する付勢手段と、
前記移動側支持筒に一端側が止着されたワイヤーと、前記ワイヤーを他端側から巻き取り、または、巻き取った前記ワイヤーを繰り出す、巻き取り・繰り出し部とを備える切換手段を備え、
前記巻き取り・繰り出し部によって前記ワイヤーを巻き取ることにより、前記ワイヤーの前記一端に作用する張力が、前記付勢手段による付勢力を上回って、前記温度検出装置が下降した下降状態となり、
前記巻き取り・繰り出し部によって巻き取った前記ワイヤーを繰り出すことにより、前記ワイヤーの前記一端に作用する張力が、前記付勢手段による付勢力を下回って、前記温度検出装置が上昇した上昇状態となり、
前記温度検出装置の上昇状態において、前記調理容器が前記五徳上に載置された場合に、前記温度検出装置と前記巻き取り・繰り出し部の間に位置する前記ワイヤーの長さが、前記調理容器が前記五徳上に載置された状態でたるみがない平衡状態に保たれた場合の前記ワイヤーの長さよりも長くなることを許容するように構成されていること
を特徴とする請求項１記載のガスコンロ。
【請求項３】
前記平衡状態に保たれた場合の前記ワイヤーの長さより、前記ワイヤーの長さが長くなった場合に、前記温度検出装置と前記巻き取り・繰り出し部の間に位置する前記ワイヤーに、前記一端に付加される張力が前記付勢手段による付勢力より小さくなるような態様で張力を付与する張力付与手段を備えていることを特徴とする請求項２記載のガスコンロ。
【請求項４】
前記制御手段が、前記ガスバーナによる加熱を停止する場合には、前記温度検出装置下降制御を実行して、前記温度検出装置が前記下降状態となるように前記巻き取り・繰り出し部を制御し、
前記ガスバーナによる加熱を行う場合においては、前記温度検出装置上昇制御を実行して、前記調理容器が前記五徳上に載置されていない場合には、前記温度検出装置が前記上昇状態となり、前記調理容器が前記五徳上に載置されている場合には、前記温度検出装置の当接部が、前記調理容器の底面に当接するように、前記巻き取り・繰り出し部を制御すること
を特徴とする請求項２または３に記載のガスコンロ。
【発明の詳細な説明】
【技術分野】
【０００１】
本発明は、ガスコンロに関し、詳しくは、鍋や釜などの調理容器の温度を検出する温度検出装置を備えたガスコンロに関する。
【背景技術】
【０００２】
ガスコンロには、鍋や釜などの調理容器の温度を検出する温度検出装置と、検出された調理容器の温度により、ガスバーナの火力を制御する制御手段を備えたガスコンロがある。
【０００３】
そのようなガスコンロとして、特許文献１には、調理器の温度を検出する温度検出手段（温度検出装置）と、火力調節を行う制御手段とを備えた加熱調理器（ガスコンロ）であって、加熱手段であるガスバーナによって加熱される調理容器の下面に、温度検出手段の当接体（集熱板）が当接して、調理容器の下面の温度を検出し、その検出温度に応じて、制御手段がガスバーナの火力調節を行うようにした加熱調理器（ガスコンロ）が提案されている。
【先行技術文献】
【特許文献】
【０００４】
【特許文献１】特開２０１３−１６４２５７号公報
【発明の概要】
【発明が解決しようとする課題】
【０００５】
しかしながら、上述の特許文献１の加熱調理器（ガスコンロ）の場合、温度検出手段（温度検出装置）の当接体（集熱板）は、調理容器が載置されない状態において、調理容器を載置する五徳の上端よりも上方に突出した状態となる。
【０００６】
その場合、一つのガスバーナの五徳上から、他のガスバーナの五徳上に調理容器を移動させたり、一旦五徳上から調理容器を退避させて、再び当該五徳上に調理容器を戻したりする場合に、五徳の上端よりも上方に突出した温度検出手段が、調理容器の移動の邪魔になる場合があり、使い勝手が悪いという問題点がある。
【０００７】
本発明は、上記課題を解決するものであり、調理容器の温度を検出するための温度検出手段（温度検出装置）が、五徳上において調理容器を移動させる場合に邪魔になるようなことがなく、使い勝手のよいガスコンロを提供することを目的とする。
【課題を解決するための手段】
【０００８】
上記の目的を達成するために、本発明のガスコンロは、
調理容器を加熱するガスバーナと、前記調理容器が載置される五徳と、前記調理容器の温度を検出する温度検出装置と、前記ガスバーナの火力を制御する制御手段とを備えたガスコンロにおいて、
前記温度検出装置が、前記ガスコンロの任意の固定部に固定されて上下方向に伸びる固定側支持部材と、前記固定側支持部材に支持され、前記固定側支持部材に対して上下動可能に構成された移動側支持筒と、前記移動側支持筒の上端に配設され、前記調理容器の上下動に追随して上下動することにより、前記調理容器の底面に常時当接するように構成された当接体と、前記当接体の下面側に、前記当接体と熱的に結合するような態様で配設されたサーミスタとを具備するとともに、
前記調理容器の前記五徳上への載置による前記移動側支持筒の下降を検出して、前記五徳上に前記調理容器が存在していることを検出する調理容器存在検出部を備え、
（ａ）前記制御手段が、前記移動側支持筒を下降させて前記当接体の上面を前記五徳の上端より下方に位置させる温度検出装置下降制御、および、前記調理容器が前記五徳上に載置されたときに、前記移動側支持筒の下降が許容される態様で前記移動側支持筒を上昇させて前記当接体の上面を前記五徳の上端より上方に位置させる温度検出装置上昇制御を実行するように構成され、
（ｂ）前記温度検出装置上昇制御の実行後に、前記温度検出装置下降制御を実行した場合に前記調理容器存在検出部が前記移動側支持筒の下降を検出しないときには、前記制御手段が、故障が発生している蓋然性が高いと判断して、前記ガスバーナの燃焼を実行しないように構成されていること
を特徴としている。
【０００９】
また、本発明のガスコンロにおいては、
前記切換手段が、前記固定側支持部材に支持された前記移動側支持筒を前記固定側支持部材に対して上方向に付勢する付勢手段と、前記移動側支持筒に一端側が止着されたワイヤーと、前記ワイヤーを他端側から巻き取り、または、巻き取った前記ワイヤーを繰り出す、巻き取り・繰り出し部を備えるとともに、
前記巻き取り・繰り出し部によって前記ワイヤーを巻き取ることにより、前記ワイヤーの前記一端に作用する張力が、前記付勢手段による付勢力を上回って、前記温度検出装置が下降した下降状態となり、
前記巻き取り・繰り出し部によって巻き取った前記ワイヤーを繰り出すことにより、前記ワイヤーの前記一端に作用する張力が、前記付勢手段による付勢力を下回って、前記温度検出装置が上昇した上昇状態となり、
前記温度検出装置の上昇状態において、前記調理容器が前記五徳上に載置された場合に、前記温度検出装置と前記巻き取り・繰り出し部の間に位置する前記ワイヤーの長さが、前記調理容器が前記五徳上に載置された状態でたるみがない平衡状態に保たれた場合の前記ワイヤーの長さよりも長くなることを許容するように構成されていること
が好ましい。
【００１０】
また、前記平衡状態に保たれた場合の前記ワイヤーの長さより、前記ワイヤーの長さが長くなった場合に、前記温度検出装置と前記巻き取り・繰り出し部の間に位置する前記ワイヤーに、前記一端に付加される張力が前記付勢手段による付勢力より小さくなるような態様で張力を付与する張力付与手段を備えていることが好ましい。
【００１１】
また、本発明のガスコンロにおいては、前記制御手段が、前記ガスバーナによる加熱を停止する場合には、前記温度検出装置が前記下降状態となるように前記巻き取り・繰り出し部を制御し、前記ガスバーナによる加熱を行う場合において、前記調理容器が前記五徳上に載置されていない場合には、前記温度検出装置が前記上昇状態となり、前記調理容器が前記五徳上に載置されている場合には、前記温度検出装置の当接部が、前記調理容器の底面に当接するように、前記巻き取り・繰り出し部を制御することが好ましい。
【発明の効果】
【００１２】
本発明は、上述のように、温度検出装置が、上下方向に伸びる固定側支持部材と、固定側支持部材に支持され、固定側支持部材に対して上下動可能に構成された移動側支持筒と、移動側支持筒の上端に配設され、調理容器の上下動に追随して上下動することにより、調理容器の底面に常時当接するように構成された当接体と、当接体の下面側に、当接体と熱的に結合するような態様で配設されたサーミスタとを具備するガスコンロにおいて、調理容器の五徳上への載置による移動側支持筒の下降を検出して、五徳上に調理容器が存在していることを検出する調理容器存在検出部を備え、（ａ）制御手段が、移動側支持筒を下降させて当接体の上面を五徳の上端より下方に位置させる温度検出装置下降制御、および、調理容器が五徳上に載置されたときに、移動側支持筒の下降が許容される態様で移動側支持筒を上昇させて当接体の上面を五徳の上端より上方に位置させる温度検出装置上昇制御を実行するように構成され、（ｂ）温度検出装置上昇制御の実行後に、温度検出装置下降制御を実行した場合に調理容器存在検出部が移動側支持筒の下降を検出しないときには、制御手段が、故障が発生している蓋然性が高いと判断して、ガスバーナの燃焼を実行しないように構成されているので、調理容器の温度を検出するための温度検出手段が、五徳上において調理容器を移動させる場合に邪魔にならず、使い勝手が良好で、かつ、安全の高いガスコンロを提供することが可能になる。
【００１３】
すなわち、本発明のガスコンロは、上述の温度検出装置下降制御を実行するようにしているので、五徳上において調理容器を移動させるときに、温度検出装置が邪魔になることがない。
【００１４】
また、温度検出装置下降制御の実行によっても調理容器存在検出部が移動側支持筒の下降を検出しないとき、つまり、調理容器存在検出部と固定側支持部材との固着等により故障している蓋然性が高いとき、制御手段が、ガスバーナの燃焼を実行しないように構成されているので、安全の高いガスコンロを提供することができる。
【００１５】
また、温度検出装置上昇制御の実行により、調理容器が五徳上に載置されたときに当接体が調理容器の下面の上下位置に追随して上下し、当接体と調理容器の底面の接触状態が維持されるため、調理容器の温度を適切に検出することができる。
【００１６】
また、温度検出装置上昇制御の実行後における調理容器の五徳上への載置による移動側支持筒の下降を検出する調理容器存在検出部を備えているので、五徳上に調理容器が載置されているか否かに応じてガスバーナの火力調節が可能である。
【００１７】
また、本発明のガスコンロにおいては、固定側支持部材に支持された移動側支持筒を上方向に付勢する付勢手段と、移動側支持筒に一端が止着されたワイヤーと、ワイヤーの他端側の巻き取りと、巻き取ったワイヤーの繰り出しを行う、巻き取り・繰り出し部とを備えるとともに、巻き取り・繰り出し部によって、ワイヤーを巻き取ることにより、上記一端に作用する張力が付勢手段による付勢力を上回って、温度検出装置が下降した下降状態となり、巻き取り・繰り出し部によってワイヤーを繰り出すことにより、ワイヤーの一端に作用する張力が付勢手段による付勢力を下回って、温度検出装置が上昇した上昇状態となり、かつ、温度検出装置の上昇状態において、調理容器が五徳上に載置された場合に、温度検出装置と巻き取り・繰り出し部の間に位置するワイヤーの長さが、調理容器が五徳上に載置された状態でたるみがない平衡状態に保たれた場合のワイヤーの長さよりも長くなることを許容するように構成されている場合、ワイヤーを剛性の小さな線材によって構成し、巻き取り・繰り出し部と移動側支持筒とをワイヤー（剛性の小さな線材）によって接続するだけで、複雑な構成を必要とすることなく上述の本発明にかかるガスコンロを構成することが可能になる。
【００１８】
また、上記平衡状態に保たれた場合の上記ワイヤーの長さより、ワイヤーの長さが長くなった場合に、温度検出装置と巻き取り・繰り出し部の間に位置するワイヤーに、一端に付加される張力が付勢手段による付勢力より小さくなるような態様で張力を付与する張力付与手段を備えた構成とした場合、温度検出装置の上昇状態において、調理容器が五徳上に載置されたときに、温度検出装置と巻き取り・繰り出し部の間に位置するワイヤーのたるみが抑制され、温度検出装置の上下方向の動作の信頼性を向上させることが可能になる。
【００１９】
また、制御手段が、ガスバーナによる加熱を停止する場合には、温度検出装置が下降状態となるように巻き取り・繰り出し部を制御し、ガスバーナによる加熱を行う場合において、調理容器が五徳上に載置されていない場合には、温度検出装置が上昇状態となり、調理容器が五徳上に載置されている場合には、温度検出装置の当接部が、調理容器の底面に当接するように、巻き取り・繰り出し部を制御するように構成した場合、ガスバーナによる加熱が停止したときに温度検出装置が下降するため、温度検出装置が調理容器の移動などの邪魔になることがなく、また、ガスバーナによる加熱を行うときには、調理容器の底面に当接した温度検出装置によって調理容器の温度が適切に検出することが可能になり、本発明をさらに実効あらしめることができる。
【図面の簡単な説明】
【００２０】
【図１】本発明の一実施形態にかかるガスコンロの外観構成を示す斜視図である。
【図２】本発明の一実施形態にかかるガスコンロの、温度検出装置の下降状態における要部構成を示す側面図である。
【図３】本発明の一実施形態にかかるガスコンロの、温度検出装置の上昇状態における要部構成を示す側面図である。
【図４】本発明の一実施形態にかかるガスコンロの、温度検出装置上に調理容器を載置した状態における要部構成を示す側面図である。
【図５】本発明の一実施形態にかかるガスコンロの、温度検出装置昇降制御サブルーチンのフローチャートを示す図である。
【図６】本発明の一実施形態にかかるガスコンロの、調理容器存在検出部の検出原理を説明する図である。
【発明を実施するための形態】
【００２１】
［実施形態］
以下、本発明の実施形態を示して、その特徴とするところをさらに詳しく説明する。
【００２２】
＜加熱調理器の基本構造＞
図１は本発明の実施形態にかかるグリル付きガスコンロ（ドロップインコンロ）の外観構成を示す図である。
【００２３】
このグリル付きガスコンロＡ（以下、単にガスコンロともいう）は、図１に示すように、標準バーナ１ａ、高火力バーナ１ｂ、および小バーナ１ｃの３つのコンロバーナ（加熱部）を備えており、トッププレートの上部に、標準バーナ１ａ、高火力バーナ１ｂ、および小バーナ１ｃに対する鍋などの被加熱物（調理物）を受け止め、支持するための五徳５１が載置されている。
【００２４】
そして、標準バーナ１ａには、被加熱物（例えば、調理容器である鍋の底）に接触してその温度を検出するためのサーミスタからなる温度検出装置（温度センサ）９が，標準バーナ１ａの中央を貫通するように配設されている。なお、この温度検出装置９を備えた標準バーナ１ａにより、炊飯、湯沸かし、揚げものなどの温調調理を行うことができる。
【００２５】
また、グリル部４は、前面部が開口した箱状に形成されたグリル庫内に、魚などの被調理物を載置するための載置部として機能する焼き網を設けて構成されている。また、グリル庫内には、加熱部として、１つの上側バーナ（図示せず）と２つの下側バーナ（図示せず）が配設されている。
【００２６】
さらに、ガスコンロＡの前面（前側面）には、上述のコンロバーナとグリルバーナの点火および消火、火力調節と各種の設定とを指令する手動操作部３４が設けられている。
【００２７】
また、このガスコンロＡは、各種の制御を実行するように構成された制御部（制御手段）（図示せず）を備えている。制御部（制御手段）は、手動操作部３４にて指令された指令情報に基づいて、コンロバーナおよびグリルバーナの燃焼状態などを制御するように構成されている。
また、ガスコンロＡの前面には、自動復帰型の押し操作式の電源スイッチ２４、電源ランプ２５が設けられている。
【００２８】
上記手動操作部３４は、コンロバーナ（標準バーナ１ａ、高火力バーナ１ｂ、小バーナ１ｃ）の夫々に対して各別に点火・消火や火力調節を指令するための３つの加熱状態調節部２１（２１ａ，２１ｂ，２１ｃ）、標準バーナ１ａの温調機能（湯沸かし、揚げ物、炊飯）とタイマ機能についての操作および表示を行う標準バーナ用の付加機能操作・表示部３２、グリルバーナ（特に図示しない上側バーナと下側バーナ）の火力調節などを行うグリルバーナ操作部２２、グリルバーナの作動状態の切り換えを指令するグリル用の付加機能操作・表示部３３などを備えている。
【００２９】
＜特徴的構成＞
以下に、本発明の実施形態にかかるガスコンロＡの特徴的な構成について説明する。
【００３０】
本発明の一実施形態にかかるガスコンロＡにおいて、標準バーナ（ガスバーナ）１ａに用いられている温度検出装置９は、図２〜４に示すように、（ａ）一端側１１ａがガスコンロＡに設けた固定部（図示せず）に固定され、一端側１１ａに対する他端側１１ｂが上下方向に伸びるように配設された固定側支持部材１１と、（ｂ）固定側支持部材１１に支持され、固定側支持部材１１に対して上下動可能に構成された移動側支持筒１２と、（ｃ）移動側支持筒１２の上端に配設され、調理容器４０（図４）の上下動に追随して上下動することにより、調理容器４０の底面に常時当接するように構成された当接体１３と、（ｄ）当接体１３の下面側に、当接体１３と熱的に結合する態様で配設されたサーミスタ１４とを備えている。
【００３１】
また、ガスコンロＡは、移動側支持筒１２が下降して当接体１３の上面が五徳５１の上端より下方に位置する温度検出装置９の下降状態（図２）と、移動側支持筒１２が上昇して当接体１２の上面が五徳５１の上端より上方に位置する温度検出装置９の上昇状態（図３）とに切り換える切換手段１５を備えている。
【００３２】
なお、この実施形態のガスコンロＡにおいては、固定側支持部材１１の一端側１１ａと他端側１１ｂとの間には、水平方向に伸びる横引き部１１ｃが設けられており、固定側支持部材１１の一端側１１ａと他端側１１ｂの間の横引き部１１ｃに、以下に説明する切換手段１５が配置されている（図２、図３、図４）。
【００３３】
この実施形態にかかるガスコンロＡの切換手段１５は、ステッピングモータ１６と、ステッピングモータ１６により駆動（回転）されるボビン１７と、ワイヤー１９を備えている（図２、図３、図４）。
【００３４】
そして、上記ステッピングモータ１６と、ステッピングモータ１６により駆動（回転）されるボビン１７とが、ワイヤー１９の巻き取りと、巻き取ったワイヤー１９を繰り出す、巻き取り・繰り出し部２０を構成している。
【００３５】
ワイヤー１９は、移動側支持筒１２に、その一端１９ａが止着され、他端１９ｂがボビン１７に止着されている。また、この実施形態では、ワイヤー１９として、剛性の小さい合成樹脂製の糸が用いられている。
【００３６】
なお、固定側支持部材（固定部材）１１と、移動側支持筒（可動筒）１２の内部には、サーミスタ用リード線４５（図２）と、ワイヤー１９とが配設されている。ただし、図２〜４において、固定側支持部材（固定部材）１１と、移動側支持筒（可動筒）１２の内部の構成は、簡略化して示している。
【００３７】
上述のように、この実施形態のガスコンロＡの切換手段１５は、巻き取り・繰り出し部２０を構成するボビン１７をステッピングモータ１６により回転させ、ワイヤー１９を巻き取り、あるいは、巻き取ったワイヤー１９を繰り出すことにより、温度検出装置９を下降状態（図２）、あるいは、上昇状態（図３）とすることができるように構成されている。
ただし、温度検出装置９の下降状態と、上昇状態とを切り換える切換手段１５は，上述の構成のものに限られるものではなく、他の構成とすることも可能である。
【００３８】
また、この実施形態のガスコンロＡにおいては、図２、図３，図４に示すように、移動側支持筒１２の内部に、移動側支持筒１２を固定側支持部材１１に対して上方向に付勢する付勢手段として、コイルスプリング１８が配設されている。
【００３９】
すなわち、このガスコンロＡにおいては、
（ａ）ステッピングモータ１６によりボビン１７を所定の方向に回転させてワイヤー１９を巻き取ったときに、ワイヤー１９の一端１９ａに作用する張力が付勢手段（コイルスプリング）１８による付勢力を上回り温度検出装置９が下降状態（図２）となり、
（ｂ）ステッピングモータ１６によりボビン１７を逆の方向に回転させてワイヤー１９を繰り出したときに、ワイヤー１９の一端１９ａに作用する張力が付勢手段（コイルスプリング）１８による付勢力を下回り、温度検出装置９が上昇状態（図３）となるように構成されている。
【００４０】
また、この実施形態のガスコンロＡにおいては、温度検出装置９の上昇状態（図３）において、調理容器４０が五徳５１上に載置されたときに、温度検出装置９から、ボビン１７に至るまでのワイヤーの長さが、温度検出装置９とボビン１７との距離より長くなることを許容するように構成されている（図４）。つまり、温度検出装置９の上昇状態（図３）において、調理容器４０が五徳５１上に載置された場合に（図４）、温度検出装置９とボビン１７との間に位置するワイヤー１９の長さが、調理容器４０が五徳５１上に載置された状態でたるみがない状態（平衡状態）に保たれた場合のワイヤーの長さよりも長くなることを許容するように構成されている。
【００４１】
そして、その一方で、五徳５１上に調理容器４０が載置され、移動側支持筒（可動筒）１２が下降して、温度検出装置９とボビン１７との間に位置するワイヤー１９の長さが、温度検出装置９とボビン１７の間の距離（最短経路）より長くなったときに、温度検出装置９とボビン１７との間に位置するワイヤー１９に、たるみが生じないようにするために必要な張力を付与する張力付与手段４１を備えている。
【００４２】
この実施形態にかかるガスコンロＡでは、ワイヤー１９の一端１９ａに付加される張力が付勢手段（コイルスプリング）１８による付勢力より小さくなるような態様で、ワイヤー１９に張力を与えて、ワイヤー１９にたるみが生じることを防止できるように構成されている。
【００４３】
なお、張力付与手段４１によってワイヤー１９に付与される張力は小さく、温度検出装置９とボビン１７との間に位置するワイヤー１９の長さが温度検出装置９とボビン１７との距離より長くない場合は、温度検出装置９とボビン１７との間に位置するワイヤー１９を変位させないように構成されており、張力付与手段４１によってワイヤー１９に与えられる張力では、移動側支持筒１２が下降しないように構成されている（図３）。
【００４４】
また、この実施形態のガスコンロＡでは、制御手段が、ガスバーナによる加熱を停止するときに温度検出装置９が下降した下降状態となるように巻き取り・繰り出し部２０を構成するステッピングモータ１６を制御し、ガスバーナによる加熱を行うときにおいて、調理容器４０が五徳５１上に載置されていない場合には、温度検出装置９が上昇状態となるように巻き取り・繰り出し部２０を構成するステッピングモータ１６を制御し、調理容器４０が五徳５１上に載置されている場合には、コイルスプリング１８の付勢力により、温度検出装置９の当接部１３が、調理容器４０の底面に適度な押圧力で当接するようにステッピングモータ１６を制御する（巻き取り・繰り出し部２０を制御する）ように構成されている。
【００４５】
なお、切換手段１５を上述のように構成した場合、ボビン１７と移動側支持筒１２とをワイヤー１９によって接続するだけで、複雑な部品などを必要とすることなく切換手段１５を構成することができる。
【００４６】
また、この実施形態にかかるガスコンロＡの制御手段が備えるマイクロコンピュータは、メインルーチンにおいて、所定の周期（例えば０．０５秒に１回）で繰り返し温度検出装置９の昇降に関する制御サブルーチンを実行するように構成されている。
【００４７】
以下に、温度検出装置９の昇降制御サブルーチン（温度検出装置昇降制御サブルーチン）について、図５を参照して詳細に説明する。
【００４８】
図５に示すように、制御手段は、温度検出装置昇降制御サブルーチンを実行すると、先ず、＃００１で点火操作があったかどうか判定する。
【００４９】
点火操作があったとき（＃００１）は、ステッピングモータ（モータ）をワイヤーの巻き取り方向に回転させ（＃００２）、所定のパルス数だけ駆動させて（＃００３）、ステッピングモータ（モータ）を停止し（＃００４）、温度検出装置昇降制御サブルーチンを終了してメインルーチンにリターンする。
【００５０】
そして、＃００１で点火操作がないと判定した場合は、＃００５に進み、消火操作があったかどうか判定する。
【００５１】
消火操作があったときは、ステッピングモータをワイヤーの繰り出し方向に回転させ（＃００６）、所定のパルス数だけ駆動させて（＃００７）、ステッピングモータ（モータ）を停止し（＃００８）、温度検出装置昇降制御サブルーチンを終了してメインルーチンにリターンする。
【００５２】
以上のように、本実施例のガスコンロＡでは、制御手段が、ガスバーナによる加熱を停止するときに温度検出装置の下降状態となるようにステッピングモータを制御し、また、ガスバーナによる加熱を行うときに温度検出装置の上昇状態となるようにステッピングモータを制御するように構成されている。
【００５３】
さらに、この実施形態のガスコンロＡは、温度検出装置上昇制御の実行後における調理容器４０の五徳５１上への載置による移動側支持筒１２の下降を検出する調理容器存在検出部８０を備えている（（図２、図３、図４）。
【００５４】
この実施形態にかかるガスコンロＡでは、サーミスタ用リード線４５（図２）に止着された磁性体７３と固定側支持部材（固定部材）１１に止着されたマグネット７２とリードスイッチ７１が、調理容器存在検出部８０を構成している（図２、図３、図４）。
【００５５】
この調理容器存在検出部８０は、
（ａ）図２に示すように温度検出装置９が五徳５１よりも下方に位置する下降状態や、
（ｂ）図３に示すように温度検出装置９が五徳５１よりも上方に位置する上昇状態において、調理容器４０が五徳５１上に載置されていないときには、
固定側支持部材１１の横引き部１１ｃの外側に、横引き部１１ｃを挟んで配設されたリードスイッチ７１とマグネット７２の間に、磁性体７３が存在するように構成されている。
【００５６】
そして、上記（ａ）の温度検出装置９の下降状態や、上記（ｂ）の温度検出装置９の上昇状態において、リードスイッチ７１とマグネット７２の間に、磁性体７３が存在する場合には、リードスイッチ７１がＯＦＦすることで、調理容器４０が五徳５１上に載置されていない非載置状態であることが検出される。
【００５７】
一方、温度検出装置９が五徳５１よりも上方に位置する上昇状態において、五徳５１上に調理容器４０が載置されると、移動側支持筒（可動筒）１２が下方に移動し、固定側支持部材１１の横引き部１１ｃの内部において、サーミスタ用リード線４５（図２）に取り付けられた磁性体７３がサーミスタ用リード線４５とともに右方向に移動するため、リードスイッチ７１とマグネット７２の間に、磁性体７３が位置しなくなり、リードスイッチ７１がＯＮする。これにより、調理容器４０が五徳５１上に載置されていない非載置状態から、調理容器４０が五徳５１上に載置された載置状態になったことが検出される。以下、さらに詳しく説明する。
【００５８】
磁性体（強磁性体）７３は、移動側支持筒１３の上下動と共に固定側支持部材１１内を移動するサーミスタ用リード線４５（図２）に止着されており、図４に示すように温度検出装置９の上昇状態において調理容器４０が五徳５１上に載置された載置状態では、リードスイッチ７１とマグネット７３との間から離間した位置に磁性体が移動する。
【００５９】
そして、リードスイッチ７１とマグネット７２との間に磁性体（強磁性体）７３が存在するときは、図６（ａ）に示すように、マグネット７２からの磁力線の大半が磁性体７３を通過しリードスイッチ７１にはマグネット（永久磁石）７２からの磁力線がほとんど通過せずリードスイッチ７１がＯＦＦする。
【００６０】
また、リードスイッチ７１とマグネット７２の間から離間した位置に磁性体７３が移動したときには、図６（ｂ）に示すように、マグネット７２からの磁力線は磁性体７３によって遮蔽されず、マグネット７２からの磁力線がリードスイッチ７１を通過してリードスイッチ７１がＯＮする。
【００６１】
そのため、図３に示す温度検出装置９の上昇状態において調理容器４０が五徳５１上に載置されていないときには、リードスイッチ７１がＯＦＦし、図４に示すように温度検出装置９の上昇状態において調理容器４０が五徳５１上に載置された載置状態では、リードスイッチ７１がＯＮし、温度検出装置９の上昇状態において調理容器４０が五徳５１上に載置されたことが検出される。
【００６２】
次に、上述のように構成された本発明の実施形態にかかるガスコンロＡが奏する作用効果について説明する。
上述のように、この実施形態のガスコンロＡは調理容器存在検出部８０を備えているので、調理容器４０が五徳５１上に載置されているか否かに応じて、制御手段によって適切にガスバーナ（標準バーナ）１ａの火力を制御することができる。例えば、調理容器が五徳上に載置されていないときには、標準バーナ１ａの火力を小火力に絞ったり、消火したりするなどの制御を行うことができる。
【００６３】
また、温度検出装置下降制御の実行によっても調理容器存在検出部８０が移動側支持筒１２の下降を検出しないときには、制御手段が、ガスバーナ（標準バーナ）１ａの燃焼を実行しないように構成されているので、安全性の高いガスコンロを提供することができる。
【００６４】
つまり、図２に示すように、温度検出装置下降制御の実行後の温度検出装置９の下降状態では、磁性体７３がマグネット７２とリードスイッチ７１との間から離間するので、調理容器存在検出部８０が移動側支持筒１２の下降を検出するはずであるのに対し、温度検出装置下降制御の実行によっても調理容器存在検出部８０が移動側支持筒１２の下降を検出しないときは、移動側支持筒１２の固着やステッピングモータ１６の脱調などの異常が発生している蓋然性が高い。そして、その場合に、点消火操作部（加熱状態調節部２１ａ）が操作され、点火が指令された場合であっても、制御手段が、ガスバーナ（標準バーナ）１ａの燃焼を実行しないようにしているので、高い安全性を実現することができる。
【００６５】
なお、上述の、ワイヤー１９にたるみが生じないようにするために必要な張力を付与する張力付与手段４１を備えた構成は，任意の構成であり、張力付与手段４１を備えていない構成とすることも可能である。
【００６６】
また、この実施形態のガスコンロＡにおいては、上述のように、制御手段が、ガスバーナ（標準バーナ）１ａによる加熱を停止する場合には、温度検出装置下降制御を実行して、温度検出装置９が下降状態となるように巻き取り・繰り出し部２０を制御し、ガスバーナ（標準バーナ）１ａによる加熱を行う場合において、温度検出装置上昇制御を実行して、調理容器４０が五徳５１上に載置されていない場合には、温度検出装置９が上昇状態となり、調理容器４０が五徳５１上に載置されている場合には、温度検出装置９の当接部１３が、調理容器４０の底面に当接するように、巻き取り・繰り出し部２０を制御するように構成されているので、ガスバーナ（標準バーナ）１ａによる加熱が停止したときには温度検出装置９が下降し、温度検出装置９が調理容器４０の移動などの邪魔になることを防止することが可能になるとともに、ガスバーナ（標準バーナ）１ａによる加熱を行うときには、調理容器４０の底面に当接した温度検出装置９によって調理容器４０の温度を適切に検出することが可能になる。
【００６７】
なお、制御手段が、加熱を停止する場合には、温度検出装置下降制御を実行して温度検出装置９が下降状態となるように巻き取り・繰り出し部２０を制御し、加熱を行う場合において、温度検出装置上昇制御を実行して、調理容器４０が五徳５１上に載置されていない場合には、温度検出装置９が上昇状態となり、調理容器４０が五徳５１上に載置されている場合には、温度検出装置９の当接部１３が、調理容器４０の底面に当接するように、巻き取り・繰り出し部２０を制御するようにした構成は任意の構成であり、他の構成とすることも可能である。
【００６８】
なお、この実施形態では、ドロップインコンロを例にとって説明したが、本発明はテーブルコンロにも適用することが可能である。
【００６９】
本発明は、さらにその他の点においても、上記実施形態に限定されるものではなく、本発明の範囲内において種々の変形を加えることが可能である。
【符号の説明】
【００７０】
１ａ        標準バーナ
１ｂ        高火力バーナ
１ｃ        小バーナ
２          ガスバーナの貫通口
４          グリル部
９          温度検出装置（温度センサ）
１１        固定側支持部材（固定部材）
１１ａ      固定側支持部材（固定部材）の一端側
１１ｂ      固定側支持部材（固定部材）の他端側
１１ｃ      固定側支持部材（固定部材）の横引き部
１２        移動側支持筒（可動筒）
１３        当接体
１４        サーミスタ
１５        切換手段
１６        ステッピングモータ
１７        ボビン
１８        コイルスプリング（付勢手段）
１９        ワイヤー
１９ａ      ワイヤーの一端
１９ｂ      ワイヤーの他端
２０        巻き取り・繰り出し部
２１（２１ａ，２１ｂ，２１ｃ）    加熱状態調節部
２２        グリルバーナ操作部
２４        電源スイッチ
２５        電源ランプ
３２        標準バーナ用の付加機能操作・表示部
３３        グリル用の付加機能操作・表示部
３４        手動操作部
４０        調理容器
４１        張力付与手段
４５        サーミスタ用リード線
５１        五徳
７１        リードスイッチ
７２        マグネット（永久磁石）
７３        磁性体（強磁性体）
８０        載置検出部
Ａ          ガスコンロ
【図１】
0006663675.tif 000002
【図２】
0006663675.tif 000003
【図３】
0006663675.tif 000004
【図４】
0006663675.tif 000005
【図５】
0006663675.tif 000006
【図６】
0006663675.tif 000007